(57)【要約】【課題】現行のカウンターに変更を加えずにキッチンユニットの奥行きを見かけ上拡張することができ、しかもこれを安価に実現し、また、排水性能を持たせる。【解決手段】上面（３ａ）が開口し、下面が水の流れ勾配を有し、その最下部に排水管への接続部を備え、キッチンユニット（１）の背面（２）の上部にその長さ方向に取付可能とされた所定幅を有する樋部（３）と、この樋部の上面開口部の全体に装着可能とされ、上面（４ａ）に水抜き孔が複数形成された蓋部（４）とを備え、蓋部が樋部の上面開口部に装着されたとき、蓋部の上面がキッチンユニットのカウンター（５）の上面（５ａ）と面一若しくはほぼ面一となる。【選択図】　　　　　図１
2004073564.tif 000002
【特許請求の範囲】
【請求項１】
上面が開口し、下面が水の流れ勾配を有し、その最下部に排水管への接続部を備え、キッチンユニットの背面上部にその長さ方向に取付可能とされた所定幅を有する樋部と、この樋部の上面開口部の全体に装着可能とされ、上面に水抜き孔が複数形成された蓋部とを備え、蓋部が樋部の上面開口部に装着されたとき、蓋部の上面がキッチンユニットのカウンター上面と面一若しくはほぼ面一となることを特徴とするキッチンユニットの奥行き拡張部材。
【請求項２】
樋部及び蓋部はともに横長の部材であり、蓋部の上面に、その長手方向にのびる２本の平行な溝が設けられ、この溝に、オプション品の下端部に備えた脚部の差込みが可能とされている請求項１記載のキッチンユニットの奥行き拡張部材。
【請求項３】
樋部はその前後に、上端部より折り曲がって下方に垂下する嵌合耳部を備え、この嵌合耳部は、キッチンユニット背面の後ろ桟に形成された、上端が開口され、下方にのびる係止溝に嵌合可能とされている請求項１又は２記載のキッチンユニットの奥行き拡張部材。
【請求項４】
樋部は、その嵌合耳部が前後に配置されるキッチンユニットの係止溝に嵌合し、両キッチンユニットを連結する請求項３記載のキッチンユニットの奥行き拡張部材。
【請求項５】
樋部は、前側の嵌合耳部がキッチンユニットの係止溝に嵌合し、上端が開口され、下方にのびる係止溝を備え、内壁に配設された桟材の前記係止溝に後側の嵌合耳部が嵌合し、キッチンユニットと内壁を連結する請求項３記載のキッチンユニットの奥行き拡張部材。
【発明の詳細な説明】
【０００１】
【発明の属する技術分野】
この出願の発明は、キッチンユニットの奥行き拡張部材に関するものである。さらに詳しくは、この出願の発明は、現行のカウンターに変更を加えずにキッチンユニットの奥行きを見かけ上拡張することができ、しかもこれを安価に実現し、また、排水性能を持つキッチンユニットの奥行き拡張部材に関するものである。
【０００２】
【従来の技術】
いわゆるシステムキッチンは、多種多様なキッチンユニットから構成されており、キッチンスペースや顧客ニーズなどに応じてアレンジされて組み立てられている。キッチンユニットとしては、シンクや加熱調理機器が組み込まれるキッチンキャビネットが代表的であるが、その上端部に配設され、調理面を形成するカウンターの奥行きは、一般に６００〜７５０ｍｍとされている。
【０００３】
【発明が解決しようとする課題】
しかしながら、調理、後片付けなどの諸作業の煩雑さを解消し、食材、調味料、食器、調理器具などを効率よく配置するためには、調理面を形成するカウンターの拡大、特に奥行きの拡張が要望されている。しかも調理、後片付けなどの諸作業をゆったりと、また、高齢者などにとって楽な姿勢で行うことができるように、椅子に腰掛けて諸作業を行えるようにするには、ニースペースが必要であり、カウンターの奥行きの拡張はその実現に不可欠である。
【０００４】
だが、現行の樹脂製やステンレス製などにより一体物として形成されているカウンターの奥行きを拡張するためには、その分の材料や新たな成形金型などが必要とされるため、コスト高となり、現実的な対応とはいえない。
【０００５】
この出願の発明は、このような事情に鑑みてなされたものであり、現行のカウンターに変更を加えずにキッチンユニットの奥行きを見かけ上拡張することができ、しかもこれを安価に実現し、また、排水性能を持つキッチンユニットの奥行き拡張部材を提供することを解決すべき課題としている。
【０００６】
【課題を解決するための手段】
この出願の発明は、以上の課題を解決するものとして、上面が開口し、下面が水の流れ勾配を有し、その最下部に排水管への接続部を備え、キッチンユニットの背面上部にその長さ方向に取付可能とされた所定幅を有する樋部と、この樋部の上面開口部の全体に装着可能とされ、上面に水抜き孔が複数形成された蓋部とを備え、蓋部が樋部の上面開口部に装着されたとき、蓋部の上面がキッチンユニットのカウンター上面と面一若しくはほぼ面一となることを特徴とするキッチンユニットの奥行き拡張部材（請求項１）を提供する。
【０００７】
またこの出願の発明は、樋部及び蓋部はともに横長の部材であり、蓋部の上面に、その長手方向にのびる２本の平行な溝が設けられ、この溝に、オプション品の下端部に備えた脚部の差込みが可能とされていること（請求項２）、樋部はその前後に、上端部より折り曲がって下方に垂下する嵌合耳部を備え、この嵌合耳部は、キッチンユニット背面の後ろ桟に形成された、上端が開口され、下方にのびる係止溝に嵌合可能とされていること（請求項３）、樋部は、その嵌合耳部が前後に配置されるキッチンユニットの係止溝に嵌合し、両キッチンユニットを連結すること（請求項４）、樋部は、前側の嵌合耳部がキッチンユニットの係止溝に嵌合し、上端が開口され、下方にのびる係止溝を備え、内壁に配設された桟材の前記係止溝に後側の嵌合耳部が嵌合し、キッチンユニットと内壁を連結すること（請求項５）をそれぞれ一態様として提供する。
【０００８】
以下、図面に沿ってこの出願の発明のキッチンユニットの奥行き拡張部材についてさらに詳しく説明する。
【０００９】
【発明の実施の形態】
図１は、この出願の発明のキッチンユニットの奥行き拡張部材の概要をキッチンユニットとともに示した断面図である。
【００１０】
図１に示したように、この出願の発明のキッチンユニットの奥行き拡張部材は、所定幅（ｗ）を有し、キッチンユニット（１）の背面（２）の上部にその長さ方向に取付可能とされた樋部（３）と、この樋部（３）の上面（３ａ）に装着可能とされた蓋部（４）とを備えている。具体的には、この出願の発明のキッチンユニットの奥行き拡張部材では、樋部（３）の上面（３ａ）は開口しており、樋部（３）のその上面開口部の全体に蓋部（４）が装着される。つまり、樋部（３）の長さと蓋部（４）の長さは同一寸法となっている。そして、蓋部（４）が樋部（３）の上面開口部に装着されたとき、図１に示したように、蓋部（４）の上面（４ａ）は、キッチンユニット（１）のカウンター（５）の上面（５ａ）と面一若しくはほぼ面一となる。
【００１１】
図２は、樋部の一形態を示した側面図である。
【００１２】
樋部（３）では、前記のとおり、上面開口部が形成されているばかりでなく、図２に示したように、下面（３ｂ）が水の流れ勾配を有し、その最下部（３ｃ）に排水管への接続部（６）を備えてもいる。なお、接続部（６）は開口しており、排水ホース（７）の連結が可能とされている。
【００１３】
図３は、蓋部の一形態を示した要部斜視図である。
【００１４】
図３に示したように、蓋部（４）の上面（４ａ）には水抜き孔（８）が複数形成されている。したがって、蓋部（４）が、前述の樋部（３）の上面開口部の全体に装着されたとき、蓋部（４）は、水抜き孔（８）を通じて樋部（３）の内部と連通し、排水管へと至る排水経路が形成される。なお、樋部（３）の上面開口部への蓋部（４）の装着方式は特に制限はなく、嵌着、ビス止めなど様々な方式を採用することができる。
【００１５】
この出願の発明のキッチンユニットの奥行き拡張部材は、たとえば以上のとおりの構成を有しているため、図１に示したように、現行のカウンターに変更を加えずにキッチンユニット（１）の奥行きを見かけ上拡張することができ、しかもキッチンユニット（１）の奥行きの拡張は安価に実現される。また、この出願の発明のキッチンユニット（１）の奥行き拡張部材は排水性能を持つ。調理、後片付けなどの作業中に水がキッチンユニット（１）の奥側に飛散しても、その水は、蓋部（４）の上面（４ａ）に形成された水抜き孔（８）から樋部（３）を通じて排水管へと排水することができる。奥行きが拡張されることにともなうキッチンユニット（１）の拭き作業の手間が軽減される。たとえば樋部（３）及び蓋部（４）は、成形が容易で、しかも耐腐食性に優れたたとえばステンレス製とすることができる。
【００１６】
なお、この出願の発明のキッチンユニットの奥行き拡張部材では、図２及び図３に示したように、樋部（３）及び蓋部（４）はともに横長の部材であるが、蓋部（４）の上面（４ａ）にはその長手方向にのびる２本の平行な溝（９）を設けることができる。この溝（９）は、後述するオプション品の下端部に備えた脚部の差込みを可能とするものである。オプション品は、具体的には、図４に示したように、蓋部（４）の溝（９）に差込可能な脚部（１０）を前後に２本ずつ下端部に備えたものが例示される。この図４に示したオプション品は、内部に洗剤、スポンジなどの備品の収納を可能としたトレイ（１１）である。トレイ（１１）の場合、複数段に積み重ね、収納量の増大を図り、しかも相互間が備品の取出し及び収納が容易となるように間隔をあけて配置されるように、図４に示したように、左右の両側板（１１ａ）（１１ａ）の高さをトレイ（１１）の深さよりも高くし、その上端部に、蓋部（４）の溝（９）と同様に脚部（１０）の差込みを可能とする切欠（１２）を形成することができる。
【００１７】
オプション品は、この図４に示したトレイ（１１）の他、図５に示したような網カゴ（１３）、図６に示したようなまな板（１４）の立てかけを可能にしたまな板かけ（１５）、さらに包丁ラック、可動壁など、各種のものが可能である。ただし、いずれのオプション品においてもその下端部には、図３に示した蓋部（４）の溝（９）に差込可能な脚部（１０）を備えるものとする。これらのオプション品は、いずれも、脚部（１０）が蓋部（４）の溝（９）に沿って横方向にスライド可能にすると、調理、後片付けなどの諸作業において使い勝手に優れる。
【００１８】
また、この出願の発明のキッチンユニットの奥行き拡張部材は、図７に示したように、対面式のシステムキッチンにも組み込むことができ、前後に配置されるキッチンユニット（１）（１）の見かけ上の奥行きをともに拡張することができる。この場合、この出願の発明のキッチンユニットの奥行き拡張部材には、前後に配置されるキッチンユニット（１）（１）の連結部材としての機能も持たせることができる。
【００１９】
一形態として図８に示したように、樋部（３）にはその前後に、上端部より折り曲がって下方に垂下する嵌合耳部（１６）を備えることができる。前後に配置されるキッチンユニット（１）（１）には、その背面（２）に設けられる後ろ桟（１７）に、上端が開口され、下方にのびる係止溝（１８）を形成しておく。樋部（３）の嵌合耳部（１６）は、その係止溝（１８）に嵌合可能とし、嵌合させることによって前後に配置されるキッチンユニット（１）（１）の奥行きをともに拡張させつつ、連結することができる。
【００２０】
なお、図８に示したキッチンユニットの奥行き拡張部材では、樋部（３）の前後の上端部内側に断面Ｌ字形の形状を有する係止部材（１９）が配設されている。また、蓋部（４）には、前後の下端部にも溝（２０）が形成されている（具体的には、図３を参照）。つまり、図８に示したキッチンユニットの奥行き拡張部材では、樋部（３）の上面開口部（３ｄ）への蓋部（４）の装着方式に嵌着方式が採用されており、蓋部（４）の下端部の溝（２０）に係止部材（１９）を差し込むことにより、蓋部（４）を樋部（３）の上面開口部（３ｄ）の全体に装着し、かつ蓋部（４）の上面（４ａ）が、連結された前後のキッチンユニット（１）（１）のカウンター（５）（５）の上面（５ａ）（５ａ）と面一若しくはほぼ面一となるようにしている。
【００２１】
以上に示されるこの出願の発明のキッチンユニットの奥行き拡張部材に採用可能な、対面式のシステムキッチンにおいて前後に配置されるキッチンユニット（１）（１）の連結構造は、等しくキッチンユニット（１）と内壁との連結にも適用可能である。
【００２２】
すなわち、図１に示したように、キッチンユニットの奥行き拡張部材によりキッチンユニット（１）を内壁（２１）に連結する場合、樋部（３）の後側に位置する内壁（２１）に、図８に示したキッチンユニット（１）の背面（２）の後ろ桟（１７）に設けられる係止溝（１８）と同様な、上端が開口され、下方にのびる係止溝が形成された桟材（２２）を配設し、樋部（３）の前側の嵌合耳部（１６）は、キッチンユニット（１）の係止溝（１８）に嵌合させ、後側の嵌合耳部（１６）は、桟材（２２）の係止溝に嵌合させ、キッチンユニット（１）を内壁（２１）に連結することができる。こうして、キッチンユニット（１）の奥行きをともに拡張させつつ、キッチンユニット（１）を内壁（２１）に連結することができる。
【００２３】
もちろん、この出願の発明は、以上の実施形態によって限定されるものではない。、キッチンユニットの奥行き拡張部材に備える樋部及び蓋部の大きさ、形状及び構造、キッチンユニットの構成及び構造などの細部については様々な態様が可能であることはいうまでもない。
【００２４】
【発明の効果】
以上詳しく説明した通り、この出願の発明によって、現行のカウンターに変更を加えずにキッチンユニットの奥行きを見かけ上拡張することができ、しかもこれが安価に実現実現され、また、排水性能を確保することもできる。
【図面の簡単な説明】
【図１】この出願の発明のキッチンユニットの奥行き拡張部材の概要をキッチンユニットとともに示した断面図である。
【図２】樋部の一形態を示した側面図である。
【図３】蓋部の一形態を示した要部斜視図である。
【図４】オプション品の一形態と蓋部への装着方式を示した斜視図である。
【図５】オプション品の一形態を示した斜視図である。
【図６】オプション品の一形態を示した斜視図である。
【図７】この出願の発明のキッチンユニットの奥行き拡張部材が対面式のシステムキッチンに組み込まれる一形態を示した断面図である。
【図８】図７に示した対面式のシステムキッチンへの組込み方式の一形態を示した断面図である。
【符号の説明】
１　　キッチンユニット
２　　背面
３　　樋部
３ａ　　上面
３ｂ　　下面
３ｃ　　最下部
３ｄ　　上面開口部
４　　蓋部
４ａ　　上面
５　　カウンター
５ａ　　上面
６　　接続部
７　　排水ホース
８　　水抜き孔
９　　溝
１０　　脚部
１１　　トレイ
１１ａ　　側板
１２　　切欠
１３　　網カゴ
１４　　まな板
１５　　まな板かけ
１６　　嵌合耳部
１７　　後ろ桟
１８　　係止溝
１９　　係止部材
２０　　溝
２１　　内壁
２２　　桟材
【図１】
2004073564.tif 000003
【図２】
2004073564.tif 000004
【図３】
2004073564.tif 000005
【図４】
2004073564.tif 000006
【図５】
2004073564.tif 000007
【図６】
2004073564.tif 000008
【図７】
2004073564.tif 000009
【図８】
2004073564.tif 000010